(57)【特許請求の範囲】
【請求項１】
実質上垂直に延びる側壁によって内部空間の一部を規定するバーナ本体と、このバーナ本体に接続され、前記内部空間に燃料用ガスを送給するための混合管とを具備するガスバーナであって、
前記バーナ本体の前記側壁には前記内部空間内の燃料用ガスを外部に噴出するための複数個の炎孔が形成され、前記側壁の、前記複数個の炎孔のうちの少なくとも一部に対応してそれらの上側部位には、流入防止用突部が設けられており、前記流入防止用突部の上縁は上側に凸となる弧状に形成され、またその水平方向の幅方向中央部の突出量は、幅方向両端部の突出量よりも大きく構成されていることを特徴とするガスバーナ。
【請求項２】
前記複数個の炎孔は前記内部空間から外部に向けて上方に傾斜して延び、それらの水平方向の幅はそれらの上下方向の幅よりも大きいことを特徴とする請求項１記載のガスバーナ。
【請求項３】
前記複数個の炎孔は上下方向に間隔をおいて複数段に配置され、少なくとも最上位に位置する炎孔に関連して流入防止用突部が設けられていることを特徴とする請求項２記載のガスバーナ。
【請求項４】
前記複数個の炎孔の各々に関連して流入防止用突部が設けられていることを特徴とする請求項２記載のガスバーナ。
【請求項５】
前記複数個の炎孔は、加熱燃焼用の複数個の主炎孔と、保温燃焼用の複数個の小炎孔から構成され、前記複数個の小炎孔は前記複数個の主炎孔の下方に配設されていることを特徴とする請求項２〜４のいずれかに記載のガスバーナ。
【発明の詳細な説明】
【０００１】
【発明の属する技術分野】
本発明は、燃料用ガスを燃焼させるガスバーナに関する。
【０００２】
【従来の技術】
一般的に、ガスバーナは、内部空間を規定するバーナ本体と、このバーナ本体に接続された混合管とを有し、バーナ本体の天壁に複数個の炎孔が設けられている。このようなガスバーナでは、燃料用ガス、例えば都市ガス、ＬＰガス等が混合管を通して内部空間に送給され、かく送給された燃料用ガスは天壁の炎孔から上方に噴出される。このようなガスバーナでは、複数個の炎孔からの燃焼ガスが加熱すべき例えば調理鍋のほぼ中央部に作用し、燃焼ガスによる加熱効率を高めることができる。
【０００３】
【発明が解決しようとする課題】
しかし、このようなガスバーナにおいては、炎孔がバーナ本体の天壁に設けられているので、加熱調理の際に調理鍋から煮汁等が零れると、零れた煮汁等がこれら炎孔内に流れ、この煮汁等によって炎孔が塞がるという問題がある。炎孔が塞がると、燃料用ガスの噴出が行われず、燃焼ガスによる加熱力が低下する。
【０００４】
そこで、本出願人は、炎孔の上述した塞がりを防止しながら加熱効率を高めた改良されたガスバーナを提案した（特願平１０−２４６８９３号、特願平１００−２４６８９４号）。この改良されたガスバーナでは、内部空間を規定するバーナ本体は実質上垂直に延びる側壁を有し、この側壁に周方向に間隔をおいて複数個の炎孔が形成され、各炎孔は内部空間から外部に向けて上方に傾斜して延びている。
【０００５】
この改良されたガスバーナでは、炎孔が実質上垂直な側壁に設けられているので、調理鍋から煮汁等が零れたとしても零れた煮汁等が炎孔内に流入し難くい一方、内部空間からの燃料用ガスは炎孔を通して斜め上方に噴出され、炎孔からの燃焼ガスは側壁の表面に沿って上向きに向けられ（所謂コアンダ効果）、側壁に炎孔を設けているにもかかわらず加熱効率を高めることができる。
【０００６】
ところが、改良されたガスバーナのようにバーナ本体の実質上垂直な側壁に炎孔を設けていても、調理鍋から零れた煮汁等がバーナ本体の上記側壁の表面に沿って流下すると、流下する煮汁等が炎孔内に流入するおそれがある。
本発明の目的は、炎孔内への零れた煮汁等の流入を確実に防止することができる優れたガスバーナを提供することである。
【０００７】
【課題を解決するための手段】
本発明は、実質上垂直に延びる側壁によって内部空間の一部を規定するバーナ本体と、このバーナ本体に接続され、前記内部空間に燃料用ガスを送給するための混合管とを具備するガスバーナであって、
前記バーナ本体の前記側壁には前記内部空間内の燃料用ガスを外部に噴出するための複数個の炎孔が形成され、前記側壁の、前記複数個の炎孔のうちの少なくとも一部に対応してそれらの上側部位には、流入防止用突部が設けられており、前記流入防止用突部の上縁は上側に凸となる弧状に形成され、またその水平方向の幅方向中央部の突出量は、幅方向両端部の突出量よりも大きく構成されていることを特徴とする。
【０００８】
本発明に従えば、バーナ本体の実質上垂直に延びる側壁に複数個の炎孔が形成されているので、バーナ本体の構造上煮汁等のこれら炎孔内への流入を少なくすることができる。また、バーナ本体の側壁の、これら炎孔のうち少なくとも一部に対応してそれらの上側部位には流入防止用突部が設けられ、この流入防止用突部の上縁は上側に凸となる弧状に形成され、またその水平方向の幅方向中央部の突出量は、幅方向両端部の突出量よりも大きく構成されているので、バーナ本体の上記側壁に沿って煮汁等が流下しても、この流下する煮汁等は、流入防止用突部の弧状上面に沿って炎孔の両側に導かれ、炎孔の両側部位を下方に流下し、かくして煮汁等の炎孔内への流入を確実に防止することができる。
【０００９】
また、本発明では、前記複数個の炎孔は前記内部空間から外部に向けて上方に傾斜して延び、それらの水平方向の幅はそれらの上下方向の幅よりも大きいことを特徴とする。
【００１０】
本発明に従えば、複数個の炎孔は内部空間から外部に向けて上方に傾斜して延びているので、内部空間からの燃料用ガスは斜め上方に向けて噴出し、炎孔からの燃焼ガスは上記壁面に沿って上方に向き、コアンダ効果によって燃焼ガスを上方に向けることができる。また、複数個の炎孔は水平方向の幅が上下方向の幅よりも大きいので、上記側壁に垂直な方向の幅が薄い火炎が水平方向に広く生成され、燃焼ガスによる加熱効率を高めることができる。
【００１１】
また、本発明では、前記複数個の炎孔は上下方向に間隔をおいて複数段に配置され、少なくとも最上位に位置する炎孔に関連して流入防止用突部が設けられていることを特徴とする。
【００１２】
本発明に従えば最上位に位置する炎孔に関連して流入防止用突部が設けられているので、例えば調理鍋から零れた煮汁がバーナ本体の側壁に沿って流下しても、流下する煮汁等は流入防止用突部によって主として最上位の炎孔の両側に導かれ、かくして煮汁等の炎孔内への流入を防止することができる。
また、本発明では、前記複数個の炎孔の各々に関連して流入防止用突部が設けられていることを特徴とする。
【００１３】
本発明に従えば、複数個の炎孔の各々に関連して流入防止用突部が設けられているので、各炎孔においての煮汁等の流入を確実に防止することができる。
【００１４】
更に、本発明では、前記複数個の炎孔は、加熱燃焼用の複数個の主炎孔と、保温燃焼用の複数個の小炎孔から構成され、前記複数個の小炎孔は前記複数個の主炎孔の下方に配設されていることを特徴とする。
【００１５】
本発明では、複数個の炎孔は加熱燃焼用炎孔及び保温燃焼用小炎孔から構成されているので、これら加熱燃焼用炎孔及び保温燃焼用炎孔内への煮汁等の流入を防止することができる。また、保温燃焼用小炎孔から燃料用ガスを噴出させることによって、安定した小さい火炎が生じ、例えば調理鍋を弱い火力でもって加熱調理することができる。一方、加熱燃焼用主炎孔から燃料用ガスを噴出させることによって、大きい火炎が生じ、調理鍋を強い火力でもって加熱調理することができる。
【００１６】
【発明の実施の形態】
以下、添付図面を参照して、本発明に従うガスバーナの実施形態について説明する。
第１の実施形態
図１〜図４は、本発明に従うガスバーナの第１の実施形態を示しており、図１は、第１の実施形態のガスバーナを簡略的に示す斜視図であり、図２は、図１のガスバーナの断面図であり、図３は、図１のガスバーナの一部を展開して示す部分拡大展開図であり、図４は、図１のガスバーナの炎孔及びその近傍を拡大して示す部分拡大断面図である。
【００１７】
図１及び図２を参照して、図示のガスバーナは略円筒状のバーナ本体２を備え、このバーナ本体２は円形状の底壁４及び天壁６と、これら底壁４及び天壁６の外周部を接続する周側壁８とを有し、底壁４、天壁６及び周側壁８は燃料用ガス（この形態では、燃料用ガスに一次空気が混合された混合燃料用ガス）が送給される内部空間１０を規定する。周側壁８は底壁４から実質上垂直上方に延び、この周側壁８の上端部に周方向に間隔をおいて複数個の炎孔１２が形成され、このように実質上垂直な周側壁８に炎孔１２を形成することによって、構造上煮汁の流入を少なくすることができる。これら炎孔１２及びそれに関連する構成については、後述する。バーナ本体２の周側壁８の下部には混合管１４が接続されている。混合管１４の一端開口１６は燃料ノズル１８に対向して位置し、その他端開口（図示せず）はバーナ本体２の内部空間１０に開口している。
【００１８】
かく構成されているので、燃料用ガス、例えば都市ガス（ＬＰガス）は燃料ノズル１８から混合管１４の一端開口１６に向けて噴出され、かく流れる燃料用ガスによって、周囲の空気の一部が上記一端開口１６を通して混合管１４内に流入し、一次空気が混合された混合燃料用ガスが混合管１４を通してバーナ本体２の内部空間１０内に送給される。かく送給された燃料用ガスは、内部空間１０から炎孔１２を通して外部に噴出され、外部にて二次空気が混合されて燃焼し、燃料ガスとなって火炎が生成される。
【００１９】
次に、図１及び図２とともに図３及び図４を参照して、炎孔１２及びそれに関連する構成について説明すると、各炎孔１２は実質上同一の構成であり、内部空間１０に開口する内側開口１５から外部に開口する外側開口１７まで実質上同じ断面形状、この形態では矩形状に形成されている（図３、図４参照）。各炎孔１２は、図３に示すように、水平方向の幅Ｗが上下方向の幅Ｈよりも大きく、水平方向の幅Ｗは例えば３〜８ｍｍに設定され、また上下方向の幅Ｈは例えば０．８〜１．４ｍｍに設定され、この水平方向（周方向）の幅Ｗは上下方向の幅Ｈの例えば３〜１０倍（３Ｈ≦Ｗ≦１０Ｈ）に設定される。炎孔１２として、上述したように水平方向に細長い矩形状に形成することによって、燃料用ガスは炎孔１２を通して上下方向に狭く、水平方向に広く噴出され、従って、炎孔１２からの燃焼ガスは周側壁８の半径方向の幅が薄く、水平方向（周方向）の幅が広く生成され、燃焼ガスに充分な二次空気が供給される。
【００２０】
各炎孔１２は、また、図２及び図４に示すように、内部空間１０から外部に向けて、即ち内側開口１５から外側開口１７に向けて上方に傾斜して延び、この実施形態では直線状に延びている。各炎孔１２の傾斜角度α（図２）は、例えば４０〜７０度に設定される。このように各炎孔１２を上方に傾斜させることによって、燃焼ガスは各炎孔１２から斜め上方に生じ、かく燃焼する燃焼ガスはコアンダ効果によってバーナ本体２の周側壁８の表面に沿って上向きになる。従って、燃焼ガスは加熱する例えば調理鍋の中央部に向くようになり、これによって加熱効率を高めることができる。
【００２１】
第１の実施形態では、各炎孔１２に関連して流入防止用突部２０が設けられている。流入防止用突部２０は、バーナ本体２の周側壁８の、各炎孔１２の上側部位に設けられ、その水平方向（周方向）の幅は各炎孔１２の水平方向の幅Ｗに実質上等しく、又はこれよりも幾分大きく形成され、このように形成することによって、各炎孔１２の上側が煮汁流入防止突部２０で覆われる。この形態では、上記突部２０の下端が炎孔１２の上縁を規定し、突部２０に続いて炎孔１２が設けられているが、各突部２０と対応する炎孔１２との間に少しの間隔を設けるようにしてもよい。
【００２２】
流入防止用突部２０の上縁は、上側に凸となる弧状に形成され、その突出量Ｔ（周側壁８の表面から半径方向外方に突出する量）（図４）は、水平方向（周方向）の幅方向中央部が上記幅方向両端部よりも大きくなっており、上記幅方向中央部の突出量Ｔが例えば１〜２ｍｍに設定される。この突出量Ｔが小さいと、後述する煮汁の流入防止効果が充分に達成されず、一方上記突出量Ｔが大きくなると、炎孔１２からの燃焼ガスが周側壁８から離れ、充分なコアンダ効果が得られず、燃焼ガスが外側に拡がるようになる。尚、流入防止用突部２０の上縁は、上側に突出する三角状に形成するようにしてもよい。
【００２３】
このように流入防止用突部２０を設けたガスバーナでは、例えば調理鍋（図示せず）から煮汁等が零れてバーナ本体２の周側壁８に流れると、流入防止用突部２０間を流れる煮汁等はそのまま周側壁８の表面に沿って下方に流れ、また流入防止用突部２０に向けて流れる煮汁等は図３に破線矢印で示すように、流入防止用突部２０の弧状上面に沿って両側に導かれ、周側壁８の炎孔１２の両側部位を下方に流下する。このように零れた煮汁等は、流入防止用突部２０の作用によって炎孔１２の両側を流下するので、炎孔１２内に流入することがなく、煮汁等による炎孔１２の詰まりを防止することができる。尚、煮汁等の零れが多いときには、零れた煮汁等の一部は、流入防止用突部２０の先端まで流れ、この先端から下方に直接落ちるようになり、それ故に、このときにも煮汁等が炎孔１２内に流入することはない。
第２の実施形態
図５及び図６は、本発明に従うガスバーナの第２の実施形態を示しており、図５は、第２の実施形態のガスバーナを簡略的に示す正面図であり、図６は、図５のガスバーナの断面図である。この第２の実施形態では、ガスバーナの炎孔が加熱燃焼用の主炎孔と保温燃焼用の小炎孔から構成されている。
【００２４】
図５及び図６を参照して、図示のガスバーナは環状のバーナ本体１０２を備え、このバーナ本体１０２は、環状の底壁１０４及び天壁１０６と、これら底壁１０４及び天壁１０６の内周部及び外周部を接続する内周側壁１０８及び外周側壁１１０とを有し、底壁１０４、天壁１０６、内周側壁１０８及び外周側壁１１０は環状の第１内部空間１１２を規定する。第１内部空間１１２の一部には環状仕切壁１１４が設けられ、外周側壁１１０の一部と仕切壁１１４は環状の第２内部空間１１６を規定する。内周側壁１０８及び外周側壁１１０は底壁１０４から実質上垂直上方に延び、外周側壁１１０に炎孔,即ち加熱燃焼用の主炎孔１１８と保温燃焼用の小炎孔１２０が設けられている。
【００２５】
主炎孔１１８はバーナ本体１０２の外周側壁１１０の上端部に周方向に間隔をおいて複数個設けられ、これら主炎孔１１８は第１内部空間１１４から外部に向けて斜め上方に傾斜して延び、水平方向（周方向）に細長い矩形状に形成される。かかる主炎孔１１８は、第１の実施形態の炎孔１２と実質上同様に構成される。また、小炎孔１２０は外周側壁１１０の、複数個の主炎孔１１８の下側部位に周方向に間隔をおいて複数個設けられ、これら小炎孔１２０は第２内部空間１１６から外部に向けて斜め上方に傾斜して延びている。かかる小炎孔１２０は主炎孔１１８よりも小さく、この実施形態では図５に示す通り、小炎孔１２０の水平方向（周方向）の幅は主炎孔１１８の水平方向（周方向）の幅とほぼ等しく形成されるが、その上下方向の幅は主炎孔１１８の上下方向の幅より小さく、上記主炎孔１１８の上下方向の幅の例えば０．６〜０．８倍に、換言すると例えば０．６〜１．０ｍｍに設定される。このように主炎孔１１８の開口断面積は大きいので、この主炎孔１１８を通して噴出する燃料ガスの噴出量が多くなり、それ故に、主炎孔１１８からの燃焼ガスは火力が強く、加熱燃焼用に用いられる。これに対し、小炎孔１２０の開口断面積は小さいので、この小炎孔１２０を通して噴出する燃料ガスの噴出が少なく、それ故に、小炎孔１２０からの燃焼ガスは火力が弱く、保温加熱用に用いられる。尚、主炎孔１１８及び小炎孔１２０の傾斜角度αは、第１の実施形態の炎孔１２と同様に、例えば４０〜７０度に設定される。
【００２６】
バーナ本体１０２の外周側壁１１０には第１混合管１２２及び第２混合管１２４が接続されている。第１混合管１２２は第１内部空間１１２に連通され、第１燃料ノズル１２６から噴出された燃料用ガスは一次空気と混合されて第１混合管１２２を通して第１内部空間１１２に送給され、この第１内部空間１１２から主炎孔１１８を通して外部に噴出される。また、第２混合管１２４は第２内部空間１１６に連通され、第２燃料ノズル１２８から噴出された燃料用ガスは一次空気と混合されて第２混合管１２４を通して第２内部空間１１６に送給され、この第２内部空間１１６から小炎孔１２０を通して外部に噴出される。
【００２７】
この第２実施形態では、図５に示すように、上側に位置する複数個の主炎孔１１８と下側に位置する複数個の小炎孔１２０とは、水平方向（周方向）に実質上同じ幅で且つ実質上同じピッチで上下方向に重なるように設けられている。そして、このことに関連して、流入防止用突部１３０は、最上位に位置する炎孔、即ち複数個の主炎孔１１８に関連して設けられている。更に説明すると、各流入防止用突部１３０は、バーナ本体１０２の外周側壁１１０の、各主炎孔１１８の上側部位に設けられ、その水平方向（周方向）の幅は主炎孔１１８及び小炎孔１２０の水平方向の幅に実質上等しく、又はこれらより幾分大きく形成され、このように形成することによって、主炎孔１１８及び小炎孔１２０の上側が流入防止用突部１３０で覆われ、この突部１３０の下縁が主炎孔１１８の上縁を規定している。かかる流入防止用突部１３０は、第１の実施形態における流入防止用突部２０と実質上同一の構成でよい。
【００２８】
この第２の実施形態のガスバーナにおいて、例えば調理鍋（図示せず）から煮汁等が零れてバーナ本体１０２の外周側壁１１０に流れると、流入防止用突部１３０間を流れる煮汁等は主炎孔１１８の間及び小炎孔１２０の間を通って下方に流れ、また流入防止用突部１３０に向けて流れる煮汁等は、図５に破線矢印で示すように、流入防止用突部１３０の弧状上面に沿って両側に導かれ、主炎孔１１８の間及び小炎孔１２０の間を通って下方に流下する。このように最上位の炎孔、即ち主炎孔１１８に関連して流入防止用突部１３０を設けるという簡単な構成でもって、煮汁等の主炎孔１１８及び小炎孔１２０への流入を確実に防止することができる。
【００２９】
尚、この実施形態では、最上位の炎孔（主炎孔１１８）に関連して流入防止用突部１３０を設けているが、各炎孔、即ち各主炎孔１１８及び各小炎孔１２０に関連して流入防止用突部１３０を設けるようにしてもよく、かく構成した場合、主炎孔１１８及び小炎孔１２０への煮汁等の流入をより確実に防止することができる。
第３の実施形態
図７は、本発明に従うガスバーナの第３の実施形態のバーナ本体の外周側面を拡大し展開して示す部分拡大展開図である。この第３の実施形態では、ガスバーナの炎孔が主炎孔と小炎孔から構成され、主炎孔が２段に設けられている。
【００３０】
図７において、この第３の実施形態のガスバーナでは、バーナ本体２０２の外周側壁２０４の上端部に加熱燃焼用の主炎孔２０６が上下方向に間隔をおいて２段に設けられている。各主炎孔２０６は、第１の実施形態における炎孔１２（第２の実施形態における主炎孔１１８）と実質上同一の構成であり、上段に位置する複数個の主炎孔２０６と下段に位置する複数個の主炎孔２０６とは、周方向に相互に半ピッチずれて配置されている。また、主炎孔２０６の下側には保温加熱用の小炎孔２０８が周方向に間隔をおいて複数個設けられている。各小炎孔２０８は、第２の実施形態における小炎孔１２０と実質上同一の構成であり、この実施形態では下段に位置する複数個の主炎孔２０６と周方向に相互に半ピッチずれて配設されている。第３の実施形態のバーナ本体２０２及びそれに関連するその他の構成は、第２の実施形態と実質上同一であり、第１内部空間内の混合燃料用ガスが上段及び下段の主炎孔２０６を通して外部に噴出され、第２内部空間内の混合燃料用のガスが小炎孔２０８を通して外部に噴出される。
【００３１】
この第３の実施形態では、上段に位置する主炎孔２０６、下段に位置する主炎孔２０６及びそれらの下側に位置する小炎孔２０８は、周方向に半ピッチずつずれて（所謂千鳥状に）配置されており、このような場合、流入防止用突部２１０は各炎孔、即ち各主炎孔２０６及び各小炎孔２０８に関連して設けられる。最上位の流入防止用突部２１０は、バーナ本体２０２の外周側壁２０４の、上段の主炎孔２０６の上側部位に設けられ、それら水平方向（周方向）の幅はこれら主炎孔２０６の水平方向の幅に実質上等しく、又はこれらより幾分大きく形成される。また、中間（又は最下位）の流入防止用突部２１０は、上記外周側壁２０４の、下段の主炎孔２０６（又は小炎孔２０８）の上側部位に設けられ、それら水平方向（周方向）の幅はこれら主炎孔２０６（又は小炎孔２０８）の水平方向の幅に実質上等しく、又はこれらよりも幾分大きく形成される。これら流入防止用突部２１０の形状は第１の実施形態における流入防止用突部２０と実質上同一でよい。
【００３２】
この第３の実施形態のガスバーナにおいて、例えば調理鍋（図示せず）から煮汁等が零れてバーナ本体２０２の外周側壁２０４に流れると、最上位の流入防止用突部２１０間を流れる煮汁等は上段の主炎孔２０６間を通して中間の流入防止用突部２１０に向けて流下し、また最上位の流入防止用突部２１０に向けて流れる煮汁等は、図７に破線矢印で示すように、かかる流入防止用突部２１０の弧状上面に沿って両側に導かれ、上段の主炎孔２０６の間を通して中間の流入防止用突部２１０に向けて流下する。そして、このように流下する煮汁等は、中間の流入防止用突部２１０の弧状上面に沿って両側に導かれ、下段の主炎孔２０６の間を通して最下位の流入防止用突部２１０に向けて流下し、更に最下位のこれら突部２１０の弧状上面に沿って両側に導かれ、小炎孔２０８の間を通って流下する。このように煮汁等が流下するので、煮汁等の主炎孔２０６及び小炎孔２０８への流入を確実に防止することができる。
【００３３】
尚、第３の実施形態では、上段の主炎孔２０６、下段の主炎孔２０６及び小炎孔２０８を周方向に半ピッチずれて設けているが、例えば上段の主炎孔２０６と下段の主炎孔２０６とを半ピッチずらすが、下段の主炎孔２０６と小炎孔２０８とを同一ピッチで上下方向に重なるようにしてもよく、このような場合、小炎孔２０８に関連して設ける最下位の流入防止用突部２１０を省略することができる。
【００３４】
以上、本発明に従うガスバーナの種々の実施形態について説明したが、本発明はこれら実施形態に限定されるものではなく、本発明の範囲を逸脱することなく種々の変形乃至修正が可能である。
【００３５】
【発明の効果】
本発明の請求項１のガスバーナによれば、バーナ本体の実質上垂直に延びる側壁に複数個の炎孔が形成されているので、バーナ本体の構造上により煮汁等の炎孔へ流入を少なくすることができる。加えて、複数個の炎孔のうちの少なくとも一部の上側には流入防止用突部が設けられ、この流入防止用突部の上縁は上側に凸となる弧状に形成され、またその水平方向の幅方向中央部の突出量は、幅方向両端部の突出量よりも大きく構成されているので、バーナ本体の上記側壁に沿って煮汁等が流下しても、この流下する煮汁等は、流入防止用突部の弧状上面に沿って炎孔の両側に導かれ、炎孔の両側部位を下方に流下し、かくして煮汁等の炎孔内への流入を確実に防止することができる。
【００３６】
また、本発明の請求項２のガスバーナによれば、複数個の炎孔は内部空間から外部に向けて上方に傾斜して延びているので、炎孔からの燃焼ガスはコアンダ効果によって上方に向けられ、燃焼ガスの加熱効率を高めることができる。また、複数個の炎孔は水平方向の幅が上下方向の幅よりも大きいので、上記側壁に垂直な方向の幅が薄い火炎が水平方向に広く生成され、このことによっても燃焼ガスによる加熱効率を高めることができる。
【００３７】
また、本発明の請求項３のガスバーナによれば、最上位に位置する炎孔に関連して流入防止用突部が設けられているので、比較的簡単な構成でもって煮汁等の炎孔内への流入を防止することができる。
【００３８】
また、本発明の請求項４のガスバーナによれば、複数個の炎孔の各々に関連して流入防止用突部が設けられているので、各炎孔においての煮汁等の流入を確実に防止することができる。
【００３９】
更に、本発明の請求項５のガスバーナによれば、加熱燃焼用炎孔及び保温燃焼用炎孔内への煮汁等の流入を防止することができる。また、保温燃焼用小炎孔から燃料用ガスを噴出させることによって弱い火力でもって加熱調理することができ、また加熱燃焼用主炎孔から燃料用ガスを噴出させることによって強い火力でもって加熱調理することができる。
【図面の簡単な説明】
【図１】本発明に従うガスバーナの第１の実施形態を簡略的に示す斜視図である。
【図２】図１のガスバーナの断面図である。
【図３】図１のガスバーナの一部を展開して示す部分拡大展開図である。
【図４】図１のガスバーナの炎孔及びその近傍を拡大して示す部分拡大断面図である。
【図５】本発明に従うガスバーナの第２の実施形態を簡略的に示す正面図である。
【図６】図５のガスバーナの断面図である。
【図７】本発明に従うガスバーナの第３の実施形態の主炎孔及び小炎孔並びにそれらの近傍を展開して示す部分拡大展開図である。
【符号の説明】
２，１０２，２０２  バーナ本体
８，１１０，２０４  外周側壁
１０  内部空間
１２  炎孔
２０，１３０，２１０  流入防止用突部
１１２  第１内部空間
１１６  第２内部空間
１１８，２０６  主炎孔
１２０，２０８  小炎孔
【図１】
0003862249.tif 000002
【図２】
0003862249.tif 000003
【図３】
0003862249.tif 000004
【図４】
0003862249.tif 000005
【図５】
0003862249.tif 000006
【図６】
0003862249.tif 000007
【図７】
0003862249.tif 000008